(57)【要約】【課題】  開き扉タイプから引き戸タイプへリフォ−ムする際、従来の開口部やドア枠を解体したり補強する必要がなく、引き戸の開閉時の衝撃による跳ね返りやガタツキを防止し、施工やメンテナンスが容易で、床面に不陸や傾きが生じていても精度良く施工可能で、引き戸と壁面の間隔調整が簡単な操作で精度良く行え、上レ−ル部材が露出せず外観的にも優れたアウトセット方式の引き戸構造体を安価に提供する。【解決手段】  開口部に上レ−ルが壁面から突出し側方に延出するように取り付けられ、上レ−ル対面位置に下レ−ルが平行に取り付けられ、上下レ−ル間に引き戸を走行可能にした引き戸構造体において、上レ−ルが上枠内に収納されており、下レ−ルに設けた引き戸開閉時の緩衝手段と、上レ−ルに設けた建て付け調整手段とを備えるようにした。【選択図】        図２
2005336882.tif 000002
【特許請求の範囲】
【請求項１】
建物の開口部の上部に上レ−ルが壁面から突出するように設けられると共に、上レ−ルが開口部側方に延出するように略水平に取り付けられており、上レ−ルと略対面位置に開口部下部の下レ−ルが上レ−ルと略平行に取り付けられており、上下レ−ルの間に引き戸が走行可能なように、引き戸上端部に設けた支持具が上レ−ル内を移動し、引き戸下端部に設けた走行具が下レ−ル上を走行する引き戸構造体において、上レ−ルが上枠内に収納されており、下レ−ルに設けた引き戸開閉時の緩衝手段と、上レ−ルに設けた建て付け調整手段とを備えていることを特徴とする引き戸構造体。
【請求項２】
引き戸上端部に設けた支持具が上レ−ル内を移動するガイドランナ−であり、引き戸の下端部に設けた走行具が戸車であり、前記緩衝手段が、所定の形状と寸法を有し、その表面に所定の大きさの昇り勾配と凹部が形成された調整片であり、引き戸の閉時に引き戸が移動するに従って前記戸車が昇り勾配に向かい、引き戸上端部のガイドランナ−が上レ−ル端部に当接する位置で、前記戸車が調整片に設けた凹部に嵌入し引き戸が停止するように、前記調整片が下レ−ルの所定位置に設けられていることを特徴とする請求項１に記載の引き戸構造体。
【請求項３】
引き戸上端部に設けた支持具が上レ−ル内を移動するガイドランナ−であり、引き戸の下端部に設けた走行具が戸車であり、前記緩衝手段が、所定の形状と寸法を有し、その表面に所定の大きさの昇り勾配と下り勾配が形成された調整片であり、引き戸の閉時に引き戸が移動するに従って前記戸車が昇り勾配に向かい、引き戸上端部のガイドランナ−が上レ−ル端部に当接する位置で、前記戸車が調整片に設けた下り勾配に達し、引き戸が上レ−ル端部及び下レ−ル端部に向けて付勢されるように、前記調整片が下レ−ルの所定位置に設けられていることを特徴とする請求項１に記載の引き戸構造体。
【請求項４】
前記上レ−ルが水平片と該水平片の両側端に設けられた垂下片から成り、断面略コの字型形状で、上レ−ルの水平片及び両垂下片の内側３面は略直角に形成され、両垂下片の外側２面は互いに略平行な傾斜面で形成されており、上レ−ルの外側３面に略等しい大きさ、形状のレ−ル装着溝が形成された上枠に上レ−ルが収納され、上レ−ルの水平片から上枠に向けて垂下片の傾斜面と略等しい傾斜角度を有する調整溝が形成され、該調整溝に雌ネジが形成され、それに螺合する雄ネジが設けられており、前記建て付け調整手段が、雄ネジの回転によって上レ−ルが上枠の上レ−ル装着溝内を斜昇又は斜降することで壁面と引き戸間の隙間及び上下レ−ル間隔を調整することであることを特徴とする請求項１〜３のいずれかに記載の引き戸構造体。
【発明の詳細な説明】
【技術分野】
【０００１】
本発明は建物の開口部において、外付けで取り付け施工する引き戸構造体に関する。
【背景技術】
【０００２】
従来、居住者のライフスタイルの移り変わりに従って、住宅をリフォ−ムする場合、開口部における開き扉タイプのドアを引き戸タイプに変更したいという要望もかなり多い。この場合、通常は開き扉を取り外し、引き戸を取り付ける際に、周辺の壁面も解体し、新たに、上部の鴨居と下部の敷居を取り付け、周辺の壁面も引き戸に合わせて新たに仕上げる必要があり、その手間は多大なものがあり、工期及び施工費用が大きくかかるという問題があった。
【０００３】
上記問題点を解決するために、開口部をそのまま残し、引き戸の上下レ−ルを開口部の壁面の外側面に取り付けて、上下レ−ル間に引き戸を走行自在となるようにした、いわゆるアウトセット方式の引き戸が用いられてきた。この場合、引き戸の走行方式においても、上レ−ル走行具として吊り車を用い、下レ−ル走行具として外れ防止のためのガイド部材を用いる方式と、逆に上レ−ル走行具として外れ防止のためのガイド部材を用い、下レ−ル走行具として戸車を用いる方式との２タイプがあった。
【０００４】
また、上記問題点を解決するために、例えば、開口部まわりの壁面の外側面に上レ−ル及び下レ−ルを取り付け、引き戸上部に上レ−ルが摺動自在に嵌挿するスライダ−が取り付けられ、引き戸下部には下レ−ル上を走行する戸車が取り付けられ、前記上レ−ルが前記引き戸の上端よりも低い位置に設けられてなるアウトセット引き戸が開示されている。（例えば、特許文献１参照。）。
【０００５】
【特許文献１】特開２００２−２２７５０３号公報（第２−４頁、第１−２図）
【発明の開示】
【発明が解決しようとする課題】
【０００６】
ところで、上記従来技術にあっては、引き戸の走行方式において、上レ−ル走行具として吊り車を用い、下レ−ル走行具として外れ防止のためのガイド部材を用いる方式の場合は、上レ−ル又は上枠に引き戸の荷重がかかるので、補強材を用いて上レ−ル又は上枠を補強するか又は壁面そのものを荷重に耐える強度に補強する必要があった。
【０００７】
また、床面の施工精度が不十分で、床面に不陸や凹凸が発生することが多々あり、ひどい場合は床面に傾きが発生し、下レ−ルの水平度が不良となる住宅もある。この場合、上下レ−ル間隔を一定に保つことが極めて難しく、引き戸の建て付け不良によって、引き戸の走行に支障をきたすことが多々あった。
【０００８】
また、上記特開２００２−２２７５０３号公報に記載のものは、引き戸の閉まり際及び開き終わり際における引き戸の走行を緩和して衝撃による跳ね返りを防止するために、上レ−ルの左右両端部にストッパ部材が設けられる構成となっているが、前記ストッパ部材の働きは、引き戸を走行させる働きを持つスライダ−から、走行方向へ突出し上方へコイルスプリングで付勢されて取り付けられているロ−ラが前記ストッパ部材に形成されている凹所とが弾性的に係合することによって、引き戸の走行を緩和して衝撃による跳ね返りを防止することであり、その構造が複雑で、コスト的に不利である点のみならず、構造が複雑なゆえ、メンテナンスや修理の点でも手間がかかりこの点の改善が望まれていた。
【０００９】
また、上記従来技術にあっては、上レ−ル取り付け部材を壁面の外側面に取り付け、引き戸を走行させるスライダ−が引き戸裏面に取り付けられており、引き戸と壁面や開口部の枠体との間に十分な間隔がとれる構成となっているが、建て付け時に枠体や引き戸に予想する以上の歪みや反りが生じた場合や、壁面に不陸や凹凸があった場合に、引き戸開閉時に引き戸と枠体又は引き戸と壁面が擦れ合って傷等が発生したり、ひどい場合は開閉操作そのものに支障をきたすことがあった。これを解決するために、上記従来技術では、上レ−ル取り付け部材の取り付け部に上レ−ルを引き戸の厚み方向へ調整可能に長孔が設けられ上レ−ルが螺子止めされており、上レ−ルを取り付け部材から開口部の出入り口の前後方向へ移動させることにより、引き戸と開口部の出入り口との間隔の調整が可能な構成とされているが、取り付け部材の左右に亘って均等に調整する必要があり、上記従来技術に開示されているような長孔を利用しての調整では、大変な手間がかかり、しかも調整精度を上げることが至難の技であった。この点の改善が望まれていた。
【００１０】
また、上記従来技術にあっては、引き戸を閉め切った状態において、上レ−ルやストッパ部材が引き戸の裏面に隠れるので外観上優れたものになるが、引き戸を開いた際に開口部の上方に上レ−ル及びストッパ部材が露出するので、外観的にも劣るものになり、この点の改善が望まれていた。
【００１１】
本発明は上述した事情に鑑みてなされるもので、開き扉タイプのドアから引き戸タイプへリフォ−ムする際に用いるアウトセット方式の引き戸において、従来から有る開口部やドア枠を解体する必要がなく、又、上レ−ルや上枠又は壁面そのものを特別に補強する必要がなく、引き戸の開閉時の衝撃による引き戸跳ね返りや引き戸ガタツキ防止を簡単な構造で可能にし、メンテナンスや修理にも手間がかからず、しかも取り付けも簡単で経済性にも優れた安価なものとし、また、床面に不陸や、凹凸や傾きが生じていても精度良く引き戸のアウトセットが可能で、しかも、引き戸と開口部及び壁面との間隔の調整が極めて簡単な操作で精度良く行え、また、引き戸を閉めた時のみならず開いた際にも上レ−ル部材が露出せず、外観的にも優れたアウトセット方式の引き戸構造体を提供することを課題とする。
【課題を解決するための手段】
【００１２】
上記課題を解決するためなされた請求項１記載の本発明の引き戸構造体は、建物の開口部の上部に上レ−ルが壁面から突出するように設けられると共に、上レ−ルが開口部側方に延出するように略水平に取り付けられており、上レ−ルと略対面位置に開口部下部の下レ−ルが上レ−ルと略平行に取り付けられており、上下レ−ルの間に引き戸が走行可能なように、引き戸上端部に設けた支持具が上レ−ル内を移動し、引き戸下端部に設けた走行具が下レ−ル上を走行する引き戸構造体において、上レ−ルが上枠内に収納されており、下レ−ルに設けた引き戸開閉時の緩衝手段と、上レ−ルに設けた建て付け調整手段とを備えていることを特徴としている。
【００１３】
このような構成を有する本発明によれば、従来から有る開口部やドア枠を解体する必要がなく、又、上レ−ルや上枠又は壁面そのものを特別に補強する必要がなく、また、前記下レ−ルに引き戸開閉時の緩衝手段が設けられているので、引き戸を閉めたり開けたりする時、下レ−ル上の走行具をほどよく制動することが可能となり、引き戸開閉時の衝撃による引き戸の跳ね返りやガタツキを有効に防止可能となり、メンテナンスや修理にも手間がかからず、しかも取り付けも簡単で経済性にも優れた安価なものとなる。また、上レ−ルに建て付け調整手段が設けられているので、壁面に不陸や凹凸や傾きが生じていても、引き戸と開口部及び壁面との間隔の調整が極めて簡単な操作で精度良く行える。また、床面に不陸や凹凸や傾きが生じていても、引き戸の建て付けが極めて簡単な操作で調整可能で、引き戸のスム−ズな走行が可能となる。また、上レ−ルが上枠内に収納されているので、引き戸を閉めた時のみならず開いた際にも上レ−ル部材が露出せず外観的にも優れたアウトセット方式の引き戸構造体が可能となる。
【００１４】
請求項２記載の本発明の引き戸構造体は、請求項１に記載の引き戸構造体において、引き戸上端部に設けた支持具が上レ−ル内を移動するガイドランナ−であり、引き戸の下端部に設けた走行具が戸車であり、前記緩衝手段が、所定の形状と寸法を有し、その表面に所定の大きさの昇り勾配と凹部が形成された調整片であり、引き戸の閉時に引き戸が移動するに従って前記戸車が昇り勾配に向かい、引き戸上端部のガイドランナ−が上レ−ル端部に当接する位置で、前記戸車が調整片に設けた凹部に嵌入し停止するように、前記調整片が下レ−ルの所定位置に設けられていることを特徴としている。
【００１５】
このような構成を有する本発明によれば、引き戸上端部に設けた支持具が上レ−ル内を移動するガイドランナ−であり、引き戸の下端部に設けた走行具が戸車であるので、引き戸の荷重を下レ−ルで受け止めることができ、上レ−ルに荷重がほとんどかからないので、上レ−ルや上枠又は壁面そのものを特別に補強する必要がない。
【００１６】
また、前記緩衝手段が、下レ−ルの所定位置に設けられた表面に所定の大きさの昇り勾配と凹部が形成された調整片であるので、引き戸の閉時に引き戸が移動するに従って前記戸車が昇り勾配に向かい、引き戸をほどよく制動し走行を緩和することが可能で引き戸を勢い良く閉めた時の衝撃による跳ね返りを防止でき、引き戸上端部のガイドランナ−が上レ−ル端部に当接する位置で、前記戸車が調整片に設けた凹部に嵌入し、引き戸を丁度良い位置で停止させることが可能で、しかも停止状態を保持できる。
【００１７】
また、引き戸を開ける時、前記戸車が下レ−ル上の前記調整片に設けられた凹部から凹部周辺の山を一旦乗り越えて平担部に達し、続いて、前記調整片の昇り勾配に達し、逆に該昇り勾配を下る向きに引き戸を開ける方向に走行する構成であるので、引き戸の開け始めにおいて、急に引き戸が開くことによる引き戸の衝撃による引き戸の跳ね返りやガタツキを有効に防止できる。また、前記緩衝手段はメンテナンスや修理にも手間がかからず、しかも下レ−ルへの取り付けも簡単で、経済性にも優れた安価なものとなる。
【００１８】
請求項３記載の本発明の引き戸構造体は、請求項１に記載の引き戸構造体において、引き戸上端部に設けた支持具が上レ−ル内を移動するガイドランナ−であり、引き戸の下端部に設けた走行具が戸車であり、前記緩衝手段が、所定の形状と寸法を有し、その表面に所定の大きさの昇り勾配と下り勾配が形成された調整片であり、引き戸の閉時に引き戸が移動するに従って前記戸車が昇り勾配に向かい、引き戸上端部のガイドランナ−が上レ−ル端部に当接する位置で、前記戸車が調整片に設けた下り勾配に達し、引き戸が上レ−ル端部及び下レ−ル端部に向けて付勢されるように、前記調整片が下レ−ルの所定位置に設けられていることを特徴としている。
【００１９】
このような構成を有する本発明によれば、引き戸上端部に設けた支持具が上レ−ル内を移動するガイドランナ−であり、引き戸の下端部に設けた走行具が戸車であるので、引き戸の荷重を下レ−ルで受け止めることができ、上レ−ルに荷重がほとんどかからないので、上レ−ルや上枠又は壁面そのものを特別に補強する必要がない。
【００２０】
また、前記緩衝手段が、下レ−ルの所定位置に設けられた表面に所定の大きさの昇り勾配と下り勾配が形成された調整片であるので、引き戸の閉時に引き戸が移動するに従って前記戸車が昇り勾配に向かい、引き戸をほどよく制動し、走行を緩和することが可能で、引き戸を勢い良く閉めた時の衝撃による跳ね返りを防止でき、引き戸上端部のガイドランナ−が上レ−ル端部に当接する位置で、前記戸車が調整片に設けた下り勾配に達し、引き戸を上レ−ル端部及び下レ−ル端部に向けて付勢させることが可能で、しかも前記付勢力によって引き戸の停止状態を保持できる。
【００２１】
また、引き戸を開ける時、前記戸車が下レ−ル上の前記調整片に設けられた下り勾配を逆方向に昇り初め、平担部に達し、続いて、昇り勾配に達し、逆に該昇り勾配を下る向きに引き戸を開ける方向に走行する構成であるので、引き戸の開け始めにおいて、急に引き戸が開くことによる引き戸の衝撃による引き戸の跳ね返りやガタツキを有効に防止できる。また、前記緩衝手段はメンテナンスや修理にも手間がかからず、しかも下レ−ルへの取り付けも簡単で、経済性にも優れた安価なものとなる。
【００２２】
請求項４記載の本発明の引き戸構造体は、請求項１〜３のいずれかに記載の引き戸構造体において、前記上レ−ルが水平片と該水平片の両側端に設けられた垂下片から成り、断面略コの字型形状で、上レ−ルの水平片及び両垂下片の内側３面は略直角に形成され、両垂下片の外側２面は互いに略平行な傾斜面で形成されており、上レ−ルの外側３面に略等しい大きさ、形状のレ−ル装着溝が形成された上枠に上レ−ルが収納され、上レ−ルの水平片から上枠に向けて垂下片の傾斜面と略等しい傾斜角度を有する調整溝が形成され、該調整溝に雌ネジが形成され、それに螺合する雄ネジが設けられており、前記建て付け調整手段が、雄ネジの回転によって上レ−ルが上枠の上レ−ル装着溝内を斜昇又は斜降することで壁面と引き戸間の隙間及び上下レ−ル間隔を調整することを特徴としている。
【００２３】
このような特徴を有する本発明によれば、上レ−ルに設けられた前記建て付け調整手段が、上レ−ルの水平片に設けられた雄ネジを回転させることによって、上レ−ルを上枠内の装着溝内を斜昇又は斜降することで壁面と引き戸間の隙間を調整する構成であるので、極めて簡単な操作で、引き戸と壁面との間の隙間寸法を精度良く行うことができ、しかも微調整も可能である。すなわち、上レ−ルには、引き戸と壁面との間の隙間を調整可能とする建て付け調整手段が設けられているので、該建て付け調整手段の働きで、壁面に不陸や凹凸があったり、また、建て付け不良によって、引き戸と壁面の隙間が極端に小さくなり、ひどい場合は引き戸が壁面とぶつかってしまうことを有効に防止可能となる。
【００２４】
また、床面に不陸や凹凸や傾きがあっても、上レ−ルの左右の雄ネジの締め具合を調整することで、上レ−ルの左右長手方向の傾きを下レ−ルに略等しくなるように建て付け調整することが極めて簡単にできる。
【００２５】
また、上レ−ルが上枠内の装着溝内に収納されて一体となるように構成されているので、上枠を壁面に取り付けるだけで、手間のかかる上レ−ル取り付けを行うことができ、しかも、引き戸を閉めた時のみならず開いた際にも、上レ−ル部材が露出せず、外観的にも優れたアウトセット方式の引き戸構造体が可能となる。
【発明の効果】
【００２６】
本発明によれば、従来から有る開口部やドア枠を解体する必要がなく、また、引き戸上端部に上レ−ル内を移動する支持具と、引き戸下端部に下レ−ル上を走行する走行具が設けられており、下レ−ルに緩衝手段と、上レ−ルに建て付け調整手段とを備えているので、引き戸開閉時、下レ−ル上の走行具をほどよく制動可能となり、引き戸開閉時の衝撃による引き戸の跳ね返りやガタツキを有効に防止可能で、メンテナンスや修理にも手間がかからず、しかも取り付けも簡単で経済性にも優れた安価なものとなる。また、上レ−ルに建て付け調整手段が設けられているので、壁面に不陸や凹凸や傾きが生じていても、引き戸と開口部及び壁面との間隔の調整が極めて簡単な操作で精度良く行える。また、床面に不陸や凹凸や傾きが生じていても、引き戸の建て付けが極めて簡単な操作で調整可能で、引き戸のスム−ズな走行が可能となる。また、引き戸上端部に設けた支持具が上レ−ル内を移動するガイドランナ−であり、引き戸の下端部に設けた走行具が戸車であるので、引き戸の荷重を下レ−ルで受け止めることができ、上レ−ルに荷重がほとんどかからないので、上レ−ルや上枠又は壁面そのものを特別に補強する必要がない。また、上レ−ルが上枠内に収納されているので、引き戸を閉めた時のみならず開いた際にも上レ−ル部材が露出せず外観的にも優れたアウトセット方式の引き戸構造体が可能となる。
【００２７】
また、前記緩衝手段が、下レ−ルの所定位置に設けられた表面に所定の大きさの昇り勾配と凹部が形成された調整片であるので、引き戸の閉時に戸車が昇り勾配に向かい引き戸をほどよく制動し走行を緩和することが可能で、引き戸閉時の衝撃による跳ね返りやガタツキを防止でき、戸車が調整片に設けた凹部に嵌入し引き戸を丁度良い位置で停止させることができ、停止状態を保持できる。
【００２８】
また、引き戸を開ける時、前記戸車が下レ−ル上の前記調整片に設けられた凹部から凹部周辺の山を一旦乗り越えて平担部に達し、続いて、前記調整片の昇り勾配に達し、逆に該昇り勾配を下る向きに引き戸を開ける方向に走行する構成であるので、引き戸の開け始めにおいて、急に引き戸が開くことによる引き戸の衝撃による引き戸の跳ね返りやガタツキを有効に防止できる。また、前記緩衝手段はメンテナンスや修理にも手間がかからず、しかも下レ−ルへの取り付けも簡単で、経済性にも優れた安価なものとなる。
【００２９】
また、前記緩衝手段が、下レ−ルの所定位置に設けられた表面に所定の大きさの昇り勾配と下り勾配が形成された調整片であるので、引き戸の閉時に戸車が昇り勾配に向かい引き戸をほどよく制動し走行を緩和することが可能で、引き戸閉時の衝撃による跳ね返りやガタツキを防止できる。また、引き戸上端部のガイドランナ−が上レ−ル端部に当接する位置で、前記戸車が調整片に設けた下り勾配に達し、引き戸を上レ−ル端部及び下レ−ル端部に向けて付勢させることが可能で、しかも、前記付勢力によって、その丁度良い位置で停止状態を保持できる。
【００３０】
また、引き戸の開時に、前記戸車が下レ−ル上の前記調整片に設けられた下り勾配を逆方向に昇り初め、平担部に達し、続いて、昇り勾配に達し、逆に該昇り勾配を下る向きに引き戸を開ける方向に走行する構成であるので、引き戸の開け始めにおいて、急に引き戸が開くことによる引き戸の衝撃による引き戸の跳ね返りやガタツキを有効に防止できる。また、前記緩衝手段はメンテナンスや修理にも手間がかからず、しかも下レ−ルへの取り付けも簡単で、経済性にも優れた安価なものとなる。
【００３１】
また、前記建て付け調整手段が、上レ−ルの水平片に設けられた雄ネジの回転によって上レ−ルが上枠の装着溝内を斜昇又は斜降することで壁面と引き戸間の隙間を調整する構成であるので、極めて簡単な操作で引き戸と壁面との間の隙間寸法を精度良く調整可能で、しかも微調整も可能である。このような構成、すなわち、上レ−ルには、引き戸と壁面との間の隙間を調整可能とする隙間調整手段が設けられているので、該隙間調整手段の働きで、壁面に不陸や凹凸があったり、また、建て付け不良によって、引き戸と壁面の隙間が極端に小さくなり、ひどい場合は引き戸が壁面とぶつかってしまうことを有効に防止可能となる。
【００３２】
また、床面に不陸や凹凸や傾きがあっても、上レ−ルの左右の雄ネジの締め具合を調整することで、上レ−ルの左右長手方向の傾きを下レ−ルに略等しくなるように建て付け調整することが極めて簡単にできる。
【００３３】
また、上レ−ルが上枠内の装着溝内に一体となるように収納される構成であるので、上枠を壁面に取り付けるだけで、手間のかかる上レ−ル取り付けが可能で、引き戸を閉めた時のみならず開いた際にも、上レ−ル部材が露出せず外観的にも優れたアウトセット方式の引き戸構造体が可能となる。
【発明を実施するための最良の形態】
【００３４】
以下、図面を参照しながら説明する。図１は本発明の引き戸構造体の一実施形態を示す正面図である。図２は本発明の引き戸構造体の一実施形態を示す側面図である。図３は本発明の建て付け調整手段を示す説明図である。図４は本発明の緩衝手段を示す説明図で、（イ）はその正面から見た断面図、（ロ）はそのＡ−Ａ線断面図である。図５は本発明の緩衝手段に用いる調整片を示し、（イ）はその第一実施形態を示す。また、（ロ）は第二実施形態を示す。
【００３５】
図１において、本発明の引き戸構造体１は、上枠３、上レ−ル４ａ、下レ−ル４ｂ、引き戸２から構成されている。前記上枠３と上枠内に収納されている上レ−ル４ａは、建物の開口部Ｋの上部壁面Ｗから突出するように、しかも開口部Ｋの側方に延出するように、前記壁面Ｗに取り付けられている。
【００３６】
上レ−ル４ａと略対面する位置において、開口部Ｋの下部に、下レ−ル４ｂが上レ−ル４ａと略平行するようにして床材Ｆの表面に取り付けられている。上レ−ル４ａ及び下レ−ル４ｂの間に引き戸２が設けられている。該引き戸２の上端部に支持具５が設けられ、上レ−ル４ａ内を走行する。また、引き戸２の下端部に走行具６が設けられており、下レ−ル４ｂ上を走行する。このような構成によって、引き戸２は上下レ−ル４ａ及び４ｂ間を上下レ−ルに沿って走行可能な構成とされている。さらに、上下レ−ル４ａ、４ｂの左右両端部にストッパ−部材ＳＴが設けられている。
【００３７】
さらに、上レ−ル４ａには、引き戸２と壁面Ｗとの間の隙間Ｕ（図２参照）を調整可能とする建て付け調整手段７が設けられている。該建て付け調整手段７の働きで、壁面Ｗに不陸や凹凸があったり、また、建て付け不良によって、引き戸２と壁面Ｗの隙間Ｕ（図２参照）が極端に小さくなり、ひどい場合は引き戸２が壁面Ｗとぶつかってしまうことを有効に防止可能となる。
【００３８】
また、床材Ｆの表面に不陸や凹凸や傾きが生じている場合、上レ−ル４ａに設けた建て付け調整手段７を利用すると極めて簡単に不陸や凹凸に対応可能で、建て付け調整が簡単にできる。すなわち、上レ−ル４ａの長手方向の左右に設けられた雄ネジＮ（図２、図３参照）の締め加減を調整することで、下レ−ル４ｂと上レ−ル４ａの間隔を略等しくなるように調整できる。
【００３９】
また、下レ−ル４ｂには、引き戸２の下端部に設けられた走行具６を適度に制動可能とする緩衝手段８が設けられている。該緩衝手段８の働きで、引き戸２の開閉操作時における前記走行具６を適度に制動し開閉時の衝撃による引き戸２の跳ね返りやガタツキを有効に防止可能となる。
【００４０】
また、上レ−ル４ａは上枠３のレ−ル装着溝Ｖ（図２参照）内に収納されて一体となるように構成されているので、上枠３を壁面Ｗに取り付けるだけで、手間のかかる上レ−ル４ａの取り付けを行うことができ、しかも、引き戸２を閉めた時のみならず開いた際にも、上レ−ル４ａが露出せず、外観的にも優れたアウトセット方式の引き戸構造体１が可能となる。
【００４１】
図２、図３において、本発明の引き戸構造体１を側面から見たところを示す。図３は図２に於ける上枠３及びその周辺部分の拡大図である。本発明の一実施形態として、上レ−ル４ａが水平片ＳＨと該水平片ＳＨの両側端に形成された垂下片ＳＫからなり、断面形状で略コの字型をしている。前記上レ−ル４ａの水平片ＳＨ及び垂下片ＳＫの内側３面は略直角に形成されている。さらに、左右両垂下片ＳＫの外側２面は互いに略平行な傾斜面で形成されている。一方、上枠３の底面に前記上レ−ル４ａが装着されるレ−ル装着溝Ｖが形成されている。該レ−ル装着溝Ｖの断面形状は、前記上レ−ル４ａの外側３面の形状に見合う形状となっている。また、前記上レ−ル４ａの水平片ＳＨの長手方向の左右両端近傍において、雄ネジＮを差し込むためのネジ穴Ｈが形成されている。
【００４２】
本発明の建て付け調整手段７の一実施形態として次ぎのような構成となっている。すなわち、上述したような構成の上レ−ル４ａと、雌ネジＭとそれに螺合する雄ネジＮで構成されている。すなわち、上枠３のレ−ル装着溝Ｖの天井面において、上レ−ル４ａの水平片ＳＨに形成されたネジ穴Ｈに見合う位置に、雌ネジＭが形成されている。この雌ネジＭは前記上レ−ル４ａの左右両垂下片ＳＫの傾斜角度αに略等しい傾斜角度と傾斜方向に形成されている。
【００４３】
前記上レ−ル４ａの水平片ＳＨに設けられたネジ穴Ｈから雄ネジＮを通し、上枠３に設けられている雌ネジＭに向けて前記雄ネジＮをねじ込む。上レ−ル４ａの少なくとも左右両端部２カ所に雌ネジＭを設け、雄ネジＮで上レ−ル４ａを上枠３に取り付ける。この時、上レ−ル４ａの左右の水平度に注意する必要がある。
【００４４】
前記雄ネジＮを回転させて雄ネジＮを雌ネジＭにねじ込むと上レ−ル４ａの左右両垂下片ＳＫの外側傾斜面が上枠３のレ−ル装着溝Ｖの傾斜面に沿って斜昇又は斜降する構成となっている。上レ−ル４ａが斜昇又は斜降することで、引き戸２と壁面Ｗとの隙間Ｕの大きさが調整可能な構成となっている。さらに、上レ−ル４ａの長手方向の左右に設けられた前記雄ネジＮの締め加減を調整することで、下レ−ル４ｂと上レ−ル４ａの間隔を略等しくなるように建て付けの調整が可能となる。
【００４５】
また、引き戸２の上端部には上レ−ル４ａ内を走行する支持具５が取り付けられている。本例では、支持具５の一実施形態として、ガイドランナ−Ｇを例示する。ガイドランナ−Ｇの上端は平面視略円形の回転円盤Ｄが取り付けられており、該回転円盤Ｄが上レ−ル４ａの両垂下片ＳＫの内側面に軽く接触しながら回転し、引き戸２の走行をスム−ズになるように支持している。これ以外の支持具であっても勿論良いものとする。
【００４６】
一方、下レ−ル４ｂ上には引き戸の開閉操作をスム−ズにする緩衝手段８が設けられている。また、引き戸２の下端部には走行具６が取り付けられている。走行具６の一実施形態として、本例では、左右２カ所に戸車が設けられている。この戸車は市販の戸車が利用できる。さらに、引き戸２の下方に床材Ｆが設けられており、該床材Ｆの表面には、下レ−ル４ｂが取り付けられている。前記下レ−ル４ｂの幅方向のほぼ中ほどに下レ−ル４ｂの長手方向に沿って所定位置に、本発明の緩衝手段８としての調整片Ｐを取り付けるための、調整片用の溝が設けられている。必ずしも前記溝に調整片Ｐを取り付ける必要は無く、溝のない平担部からなる下レ−ル４ｂの平担部に調整片Ｐを取り付けてもよいものとする。取り付けは両面粘着テ−プや接着テ−プ等を利用するとよい。これ以外の取り付け方法であってもよいものとする。
【００４７】
前記下レ−ル４ｂ上に本発明の調整片Ｐが取り付けられており、前記引き戸２の開閉時において、前記戸車が調整片Ｐ上を回転しながら走行する構成となっている。前記調整片Ｐの表面は平担でなく、引き戸２を開閉する際に引き戸２の走行を適度にしかも有効に制動するための勾配及び又は凹部Ｃ（図５参照）が形成されている。該勾配や凹部Ｃの働きで、引き戸２の開閉時の衝撃による引き戸２の跳ね返りやガタツキの防止が有効に可能となる。
【００４８】
さらに、引き戸２の下部の制動部のメンテナンスや修理において、前記調整片Ｐを取り替えたり、又は下レ−ル４ｂと調整片Ｐとの間にスペ−サ−ｅ（図４参照）を取り付けたり、又は取り外したり、又は、スペ−サ−ｅの厚みを変えたりして引き戸２の高さ調整が可能となる。しかも、下レ−ル４ｂの長手方向の左右の両方及び又は左右何れか片方のスペ−サ−ｅの厚みを変えることで前記勾配の大きさが調整可能となる。このようにして、メンテナンスや調整にそれほどの手間がかからず、しかも取り付けが簡単で、経済性にも優れたものとなる。
【００４９】
上レ−ル４ａの建て付け調整手段７をさらに詳述する。前記上レ−ル４ａの水平片ＳＨに設けられたネジ穴Ｈから上枠３のレ−ル装着溝Ｖの天井面に調整溝Ｊが形成されている。該調整溝Ｊの位置は前記ネジ穴Ｈに見合う位置で、調整溝Ｊは上レ−ル４ａの左右両垂下片ＳＫのと略等しい傾斜角度と傾斜方向で形成されている。このようにして、前記ネジ穴Ｈに雄ネジＮが差し込まれ、雌ネジＭに向けて雄ネジＮが螺合されている。前記雄ネジＮを正又は逆回転させることによって、前記雄ネジＮが突出したり逆に引っ込んだりする。このことによって、前記上枠３のレ−ル装着溝Ｖ内を上レ−ル４ａが斜昇又は斜降する構成となっている。
【００５０】
前記雄ネジＮを締める方向に回転させると、前記上レ−ル４ａが上枠３のレ−ル装着溝Ｖ内を斜昇することとなり、上レ−ル４ａの左右の両垂下片ＳＫが本例では壁面Ｗから離れる方向に移動することになる。従って、引き戸２と壁面Ｗとの隙間Ｕが広くなる。
【００５１】
また、逆に雄ネジＮを緩める方向に回転させると、前記上レ−ル４ａが斜降することとなり、上レ−ル４ａの左右の両垂下片ＳＫが本例では壁面Ｗに近づく方向に移動することになる。従って、引き戸２と壁面Ｗとの隙間Ｕが小さくなる。
【００５２】
このようにして、引き戸２を取り付ける壁面Ｗに不陸や凹凸があったり、引き戸２の建て付けが不良であったりして、引き戸２と壁面Ｗが接触したり、ひどい場合はぶつかってしまって引き戸２が開閉不能になっても、前記隙間調整手段７の雄ネジＮを締めることで、壁面Ｗとの隙間Ｕを有効に広げることが可能となる。
【００５３】
また、逆に、引き戸２の建て付けが悪く、引き戸２と壁面Ｗとの距離が広過ぎる場合は、前記雄ネジＮを緩めると上レ−ル４ｂが斜降して、引き戸２と壁面Ｗとの隙間Ｕを適度に小さく調整できる。このようにして、壁面Ｗの凹凸や不陸に対して引き戸２と壁面Ｗとの隙間Ｕの大きさを微調整できる。
【００５４】
前記雄ネジＮを締める方向に回転させると、前記上レ−ル４ａが上枠３のレ−ル装着溝Ｖ内を斜昇することとなり、上レ−ル４ａが上方へ移動する。また、逆に雄ネジＮを緩める方向に回転させると、前記上レ−ル４ａが斜降することとなり、上レ−ル４ａが下方へ移動する。従って、床面上に設置した下レ−ル４ｂと上レ−ル４ａの上下方向の間隔を極めて簡単な操作で、微調整可能となる。従って、建て付け不良で、床面に不陸や凹凸や傾きが生じていても、引き戸２の走行をスム−ズに行えるように建て付け調整が極めて簡単にできる。
【００５５】
また、上枠３に設けられた上レ−ル装着溝Ｖの開口部近傍において、上レ−ル４ａが脱落するのを防止するためのストッパ−部材ＳＴが取り付けられている。金属製又は硬質樹脂製の部材を上レ−ル装着溝Ｖの左右長手方向の端部近傍に奥側と手前側それぞれ１個づつ計４個設ければよい。
【００５６】
ここで、上述した各部材について、好適な材料を以下に述べる。上下レ−ル４ａ、４ｂ、雌ネジＭ、雄ネジＮ等の材料としては、アルミ、ステンレス、鉄に真鍮メッキ、亜鉛メッキ等を施した金属製又は硬質のポリエステル樹脂、塩ビ樹脂、ウレタン樹脂、ＡＢＳ樹脂等の合成樹脂成型体からなる材料が好適な材料として挙げることができる。しかしこれらに限定されるものではないものとする。
【００５７】
ガイドランナ−Ｇや回転円盤Ｄの材料としては、アルミ、ステンレス、鉄に真鍮メッキ、亜鉛メッキ等を施した金属製又は硬質のポリエステル樹脂、塩ビ樹脂、ウレタン樹脂、ＡＢＳ樹脂等の合成樹脂成型体からなる材料が好適な材料として挙げることができる。しかし、これらに限定されるものではないものとする。
【００５８】
また、調整片Ｐの材質は、ジュラコン樹脂、硬質ウレタン樹脂、ＡＢＳ樹脂、ポリカ−ボネ−ト樹脂等の耐摩耗性に優れた材料が適する。これらの他にはアルミニウムなどの金属材料が適する。摩擦や摩耗に優れたものであればこれらに限られるものではない。
【００５９】
また、上枠３の材料としては、例えば、合板、平行合板、木削片板、平行合板の両面に中比重繊維板を張り合わせた複合材料等が好適なものとして挙げることができる。しかし、これらに限定されるものではないものとする。
【００６０】
また、引き戸２の材料としては、合板、平行合板、木削片板、中比重繊維板等を芯組みした表裏面に薄物合板、又は薄物中比重繊維板等を張り合わせ、その表面に例えば、天然突板、塩ビ樹脂化粧シ−ト、オレフィン樹脂化粧シ−ト、薄葉紙等からなる化粧紙等を貼着して仕上げた、いわゆるフラッシュ構造の引き戸、又は合板、平行合板、木削片板、中比重繊維板等の材料をフラッシュ構造にしないで、密実構造としたものの表面に例えば、天然突板、塩ビ樹脂化粧シ−ト、オレフィン樹脂化粧シ−ト、薄葉紙等からなる化粧紙等を貼着して仕上げた、いわゆるムク構造の引き戸等が好適に用いられる。しかし、これらに限定されるものではないものとする。
【００６１】
図３において、本発明の建て付け調整手段７の詳細を述べる。引き戸２の高さ寸法を測定し、引き戸２を取り付ける壁面Ｗの所定位置に上枠３を所定位置から若干上方位置に仮止めする。上枠３のレ−ル装着溝Ｖ内に上レ−ル４ａをレ−ル装着溝Ｖの上下方向の深さのおよそ中程になるように差し込み、ネジ穴Ｈから雄ネジＮをを雌ネジＭへ向けて螺合させ、雄ネジＮを締めたり又は逆に緩めたりして上レ−ル４ａの左右水平度を概略調整する。この時、上レ−ル４ａの下端部が上枠３から下方へ突出して露出し外観上見苦しくならないように注意する。
【００６２】
上レ−ル４ａと対面する床材Ｆ表面に下レ−ル４ｂ（図２参照）を取り付ける。引き戸２の上端部のガイドランナ−Ｇを上レ−ル４ａ内に差し込み、引き戸２の下端部の戸車を下レ−ル４ｂ上の前記調整片Ｐ上に乗せるようにして設置する。次に、ガイドランナ−Ｇの回転盤Ｄが上レ−ル４ａの垂下片ＳＫの内法高さ寸法の略中程になるようにして、前記上枠３を若干下げ、正確に取り付け高さ位置を決める。次に上レ−ルに設けられた雄ネジＮを正又は逆回転させて上レ−ル４ａと下レ−ル４ｂの間隔が略一定となるように微調整する。この時、上枠３及び下レ−ル４ｂの取り付けは、釘、木ネジ、接着テ−プ、接着剤、等を単独又は併用して取り付ければよい。
【００６３】
雄ネジＮをいっぱいに締めた時、上レ−ル４ａが斜昇し、上レ−ル４ａの水平片ＳＨの上面が上枠３のレ−ル装着溝Ｖの天井面に当接し、この時、雌ネジＭを取り付ける調整溝Ｊ及び雌ネジＭの深さは、若干余裕がある程度に構成されている。又、逆に雄ネジＮを緩めて上レ−ル４ａを斜降させた時、前記上レ−ル装着溝Ｖの下端部において、上レ−ル４ａが抜け落ちることがないようにストッパ−部材ＳＴが設けられている。このようにして、上レ−ル４ａを下方へ最大限斜降させた時、上レ−ル４ａの水平片ＳＨの内側面と前記ガイドランナ−Ｇの回転円盤Ｄの上面との間に若干の余裕があるように構成されている。このようにして、雄ネジＮを締めたり、又は逆に緩めたりして上レ−ル４ａを斜昇又は斜降させても、前記ガイドランナ−Ｇ及び回転円盤Ｄの高さ位置及び引き戸２そのものの高さ位置は変わることがないように構成されている。
【００６４】
また、上レ−ル４ａの左右長手方向は水平度を保ちながら取り付けることを基本とするが、床面Ｆに不陸や凹凸が発生している場合が多々あり、ひどい場合は、床面Ｆそのものが左右いずれかへ傾斜している場合もある。この場合、上レ−ル４ａの左右長手方向の水平度を若干犠牲にして、床面上に取り付けた下レ−ル４ｂとの間の間隔をなるべくほぼ等しくなるように、前記左右の雄ネジＮの締め具合を変えたり調整したりして、極めて簡単な操作で、前記上下レ−ル間隔を略等しくすることが可能になる。また、前記下レ−ル４ｂとその上に取り付けた調整片Ｐとの間にスペ−サ−ｅを取り付ける際、スペ−サ−ｅの厚みを調整片Ｐの左右長手方向で若干変えることによっても、前記上下レ−ル間隔を極めて簡単に略等しくすることができる。
【００６５】
壁面Ｗと引き戸２との隙間Ｕの調整寸法Ｌは、上レ−ル４ａの左右両垂下片ＳＨの傾斜角度αと、上レ−ル４ａの上下方向の移動寸法Ｔによって決まってくる。すなわち、下記の計算式による。
【００６６】
Ｌ＝Ｔ×ｔａｎα
となる。
【００６７】
実際に実施する場合の好適な数値は、傾斜角度αが約１５〜３０度、上下移動寸法Ｔが約５〜２５ｍｍで、上記計算式に数値を代入すると、Ｌは約１．５〜１５ｍｍとなる。すなわち、引き戸２と壁面Ｗの隙間Ｕはおよそ上記の範囲で調整可能となる。
【００６８】
また、床面Ｆの傾きに対しては上下移動寸法Ｔは最大で約２５ｍｍまで調整可能となる。さらに、下レ−ル４ｂと調整片Ｐとの間に挿入するスペ−サ−ｅを利用すれば、上記の約２５ｍｍよりも大きな床面不陸にも対応可能となる。
【００６９】
図４及び図５において、引き戸２の下端部に設けられた緩衝手段８の詳細を述べる。図４に示すように、本発明の引き戸構造体１において、引き戸２の下端部に設けられた走行具６としての戸車が下レ−ル４ｂの戸車走行面ｆの上を走行し、引き戸２が上下レ−ル４ａ及び４ｂに沿って、壁面Ｗと略平行な方向に移動可能に構成されている。前記戸車走行面ｆの形状の好適な例として、断面形状が略Ｖ字型を挙げることができる。戸車走行面ｆの断面形状が略Ｖ字型であると戸車と下レ−ル４ｂ間の摩擦抵抗が減少し、戸車の走行性にとって好ましい。前記戸車に組み込まれた回転体Ｒが下レ−ル４ｂの断面略Ｖ字型の走行面ｆ上を回転しながら走行する。
【００７０】
下レ−ル４ｂの表面に本発明の前記調整片Ｐが設けられている。該調整片Ｐはジュラコン樹脂、硬質ウレタン樹脂、ＡＢＳ樹脂、ポリカ−ボネ−ト樹脂等の耐摩耗性に優れた材料が適する。これらの他にはアルミニウムなどの金属材料が適する。摩擦や摩耗に優れたものであればこれらに限られるものではない。
【００７１】
前記調整片Ｐの断面形状は逆三角形状又は逆台形形状が戸車の走行性にとって好適であり、調整片Ｐの底面の形状と大きさが前記下レ−ル４ｂ表面の形状と大きさに見合うように構成されており、調整片Ｐは両面接着テ−プ、両面粘着テ−プ等で下レ−ル４ｂの所定位置に取り付けられている。また、前記調整片Ｐの長さはおよそ１００〜３００ｍｍ程度で、幅は下レ−ル４ｂに設けられた調整片用の溝の幅とほぼ一致する。前記調整片Ｐ用の溝は必ずしもなくてもよいものとする。また、下レ−ル４ｂ表面が平担部で構成され、該平担部に本発明の調整片Ｐを取り付けてもよいものとする。
【００７２】
図５の（イ）に本発明の調整片Ｐの第一の実施形態を示す。本発明の調整片Ｐの第一の実施形態においては、調整片Ｐの正面（長手方向）から見た形状の例として、下レ−ル４ｂの端部に行くに従って昇りとなる向きに昇り勾配ｕｓが形成されており、その頂点で平坦部ｍに達し、該平坦部ｍを過ぎると、引き戸２がストッパ−部材ＳＴに当接する位置において、戸車の回転体Ｒが調整片Ｐと接する位置の箇所に、調整片Ｐに凹部Ｃが形成されている。
【００７３】
本発明の調整片Ｐの第一の実施形態によれば、引き戸２を閉める時、引き戸２がストッパ−部材ＳＴの方に行くに従って、戸車が前記昇り勾配ｕｓを昇りながら移動するので、重力の作用で戸車の走行速度が徐々に減速する。このようにして引き戸２をほどよく制動することが可能となる。
【００７４】
このようにして、引き戸２は徐々に減速して、戸車の回転体Ｒが調整片Ｐの平坦部ｍに達し、該平坦部ｍを通り越し、引き戸２がストッパ−部材ＳＴに当接する位置において、戸車の回転体Ｒが調整片Ｐに形成した凹部Ｃに達する。このように、戸車を保持し引き戸２を停止させる係止部としての凹部Ｃが形成されているので、戸車の回転体Ｒが調整片Ｐの凹部Ｃに嵌入されると、その箇所で戸車が停止し、引き戸２が係止され、この状態が維持される。
【００７５】
戸車が平坦部ｍを通り越して凹部Ｃに達し、回転体Ｒが嵌入されるタイミングと引き戸２の端部がストッパ−部材ＳＴに当接するタイミングが一致するように、下レ−ル４ｂへの調整片Ｐの取り付けの左右位置を調整することが大切である。
【００７６】
このようにして、引き戸２を勢いよく閉めた時に引き戸２がストッパ−部材ＳＴに勢いよく衝突して生じる衝撃や衝撃音、それによる引き戸２のガタツキ等を防止することが可能となる。
【００７７】
また、引き戸２がストッパ−部材ＳＴに当接する位置で下レ−ル４ｂ上の調整片Ｐに、戸車を保持し引き戸２を停止させる係止部としての凹部Ｃが形成されているので、引き戸２がストッパ−部材ＳＴに当接する丁度良い位置で、引き戸２下端の戸車の回転体Ｒが凹部Ｃに嵌入して引き戸２を停止させることが可能で、しかも停止状態を保持できる。従って、建て付け不良で、引き戸２が完全に閉まりきらずに引き戸２が傾いたまま閉まるなどの支障が解消する。
【００７８】
また、引き戸２を開く際にも係止部としての凹部Ｃと制動部としての昇り勾配ｕｓの働きで引き戸２の開時動作においても、同様の理由で引き戸２のスム−ズな移動が可能になる。従って、スム−ズな引き戸２の開閉が可能となるのである。
【００７９】
また、前記制動部としての昇り勾配ｕｓ、係止部としての凹部Ｃとも、構造が簡単であり従って、保守管理やメンテナンスに手間がかからず、施工後、長期間使用の後、引き戸２の建て付け状態が変化し、再調整の必要が生じても、引き戸２の制動力を調整するための制動部としての昇り勾配ｕｓの調整については、前記調整片Ｐと下レ−ル４ｂの間に調整片Ｐの取り付け高さを微調整するための適宜厚さのスペ−サ−ｅを適宜位置に挿入することで極めて簡単に再調整可能となる。また、引き戸２の停止位置を調整するための係止部としての凹部Ｃの位置の調整については、下レ−ル４ｂの長さ方向において、前記調整片Ｐの取り付け位置を微調整すれば簡単に調整できる。
【００８０】
図５の（ロ）において、本発明の調整片Ｐの第二の実施形態を示す。本発明の調整片Ｐの正面（長手方向）から見た形状の例として、ストッパ−部材ＳＴの方に行くに従って昇りとなる向きに昇り勾配ｕｓが形成されており、その頂点で平坦部ｍに達し、該平坦部ｍを過ぎると、逆にストッパ−部材ＳＴの方に行くに従って下りとなる向きに下り勾配ｄｓが形成されている。
【００８１】
本発明の調整片Ｐの第二の実施形態によれば、引き戸２を閉める時、引き戸２がストッパ−部材ＳＴの方に行くに従って、下レ−ル４ｂに装着した調整片Ｐ上を戸車が走行する時、戸車が前記調整片Ｐに形成した昇り勾配ｕｓを昇りながら重力の作用で戸車の走行速度が減速される。このことで、引き戸２をほどよく制動することが可能で、引き戸２を勢いよく閉めた時に引き戸２がストッパ−部材ＳＴに衝突して生じる衝撃や衝撃音や、それによる引き戸２のガタツキを防止できる。
【００８２】
また、係止部として、引き戸２がストッパ−部材ＳＴに当接する位置で下レ−ル４ｂに設けた調整片Ｐに、戸車を保持し、引き戸２を停止させる係止部として、所定の下り勾配ｄｓが形成されている。従って、引き戸２がストッパ−部材ＳＴに当接する位置で前記戸車が調整片Ｐに形成された下り勾配ｄｓに達し、戸車及び引き戸２をストッパ−部材ＳＴの方に向けて付勢する付勢力が働くので、この位置で引き戸２がストッパ−部材ＳＴに当接した状態でストッパ−部材ＳＴへ向けて付勢されている。従って、引き戸２が停止し且つ停止状態が保持できる。このことによって、引き戸２が完全に閉まりきらないことによる支障、すなわち、引き戸２が傾いたまま閉まるなどの支障が解消する。
【００８３】
また、引き戸２を開く際にも係止部としての下り勾配ｄｓと制動部としての昇り勾配ｕｓの働きで引き戸２の開時動作においても、同様の理由で引き戸２のスム−ズな移動が可能になる。従って、スム−ズな引き戸２の開閉が可能となる。
【００８４】
また、前記制動部としての昇り勾配ｕｓ、係止部としての下り勾配ｄｓとも、構造が簡単であり従って、保守管理やメンテナンスに手間がかからない。すなわち、施工後、長期間使用の後、引き戸２の建て付け状態が変化し、再調整の必要が生じても、引き戸２の制動力を調整するための、制動部としての昇り勾配ｕｓを調整する場合は、前記調整片Ｐと下レ−ル４ｂの間に、前記調整片Ｐの取り付け高さを微調整するための適宜厚さのスペ−サ−ｅを適宜位置に挿入することで簡単に再調整できる。また、引き戸２の停止位置を調整するための、係止部としての下り勾配ｄｓの位置を調整する場合は、前記調整片Ｐの取り付け左右位置（下レ−ル４ｂの長手方向での位置）を微調整することで極めて簡単に再調整可能となる。
【００８５】
本発明の調整片Ｐの昇り勾配ｕｓ、下り勾配ｄｓ、凹部Ｃの大きさは引き戸２の下端部に設けられた戸車の走行性能によって異なる。引き戸２に採用される戸車及びそれに用いられている回転体Ｒが決定すれば、実際の寸法に従って、下レ−ル４ｂ及び引き戸２を試作し、例えば仮型としての木製の調整片Ｐを作製し、実際に引き戸を走行させて試験し、昇り勾配ｕｓ、下り勾配ｄｓ、凹部Ｃの大きさを決めればよい。また、下レ−ル４ｂに対する調整片Ｐの取り付け位置も合わせて試験し決定すればよい。図４、図５において、下レ−ル４ｂ及び調整片Ｐの形状、取り付け構造は、向かって左側のみ図示したが、向かって右側半分も左側と左右対称又はそれに近い大きさと形状に設計すればよい。前記木製の仮型で調整片Ｐの形状、寸法が決まれば、前記硬質合成樹脂成型体又はアルミニウム等の金属を用いて調整片Ｐを作製すればよい。
【図面の簡単な説明】
【００８６】
【図１】本発明の引き戸構造体の一実施形態を示す正面図。
【図２】本発明の引き戸構造体の一実施形態を示す側面図。
【図３】本発明の建て付け調整手段を示す説明図。
【図４】本発明の緩衝手段を示す説明図。            （イ）正面から見た断面図。            （ロ）Ａ−Ａ線断面図。
【図５】本発明の緩衝手段に用いる調整片を示す。            （イ）第一実施形態を示す。            （ロ）第二実施形態を示す。
【符号の説明】
【００８７】
１      引き戸構造体
２      引き戸
Ｋ      開口部
Ｗ      壁面
Ｆ      床材
３      上枠
Ｖ      レ−ル装着溝
４ａ    上レ−ル
ＳＨ    水平片
ＳＫ    垂下片
Ｈ      ネジ穴
４ｂ    下レ−ル
５      支持具
Ｇ      ガイドランナ−
Ｄ      回転円盤
６      走行具
Ｒ      回転体
ＳＴ    ストッパ−部材
７      建て付け調整手段
Ｊ      調整溝
Ｍ      雌ネジ
Ｎ      雄ネジ
Ｔ      上下移動寸法
α      傾斜角度
Ｌ      隙間調整寸法
Ｕ      隙間
８      緩衝手段
Ｐ      調整片
ｆ      戸車走行面
ｅ      スペ−サ−
ｕｓ    昇り勾配
ｄｓ    下り勾配
Ｃ      凹部
ｍ      平担部
【図１】
2005336882.tif 000003
【図２】
2005336882.tif 000004
【図３】
2005336882.tif 000005
【図４】
2005336882.tif 000006
【図５】
2005336882.tif 000007